(57)【要約】【課題】エレベータ制御盤の小型化、薄型化を実現することにある。【解決手段】昇降路上部の機械室１等に設置されるエレベータ制御盤３内に収納され、巻上機の動力及び当該制御盤に関係する電力使用機器４に電力を給電する動力対応電源装置６と、昇降路に設置される昇降路継箱８近傍に設けられ、各階床及び昇降路内の電力使用機器に電力を給電する継箱対応電源装置９と、乗りかご１２に搭載され、かご内外の電力使用機器１４に電力を給電するかご対応電源装置１３と、これら分散配置される各電源装置６，９，１３と客先電源２とを接続し、当該客先電源２の主電源を各電源装置６，９，１３に供給する複数の主電源電力ケーブル５ａ〜５ｃとを設け、エレベータ制御盤の小型化、薄型化を実現するエレベータの電源供給システムである。【選択図】図１
2006225070.tif 000002
【特許請求の範囲】
【請求項１】
客先電源の主電源をエレベータシステムに供給するエレベータの電源供給システムであって、
昇降路上部の機械室又は昇降路の適宜な個所に設置されるエレベータ制御盤内に収納され、巻上機の動力及び当該制御盤に関係する電力使用機器に電力を給電する動力対応電源装置と、
昇降路に設置される昇降路継箱又は当該継箱近傍に設けられ、各階床及び昇降路内で使用する電力使用機器に電力を給電する継箱対応電源装置と、
乗りかごに搭載され、当該乗りかご内外の電力使用機器に電力を給電するかご対応電源装置と、
分散配置される前記各電源装置と前記客先電源とを接続し、当該客先電源の主電源を前記各電源装置に供給する複数の主電源電力ケーブルと
を備えたことを特徴とするエレベータの電源供給システム。
【請求項２】
客先電源の主電源をエレベータシステムに供給するエレベータの電源供給システムであって、
昇降路に設置される昇降路継箱又は当該継箱近傍に設けられ、各階床及び昇降路内で使用する電力使用機器と巻上機の動力及びエレベータ制御盤に関係する電力使用機器に電力を給電する動力・継箱対応電源装置と、
乗りかごに搭載され、当該乗りかご内外の電力使用機器に電力を給電するかご対応電源装置と、
分散配置される前記各電源装置と前記客先電源とを接続し、当該客先電源の主電源を前記各電源装置に供給する複数の主電源電力ケーブルと
を備えたことを特徴とするエレベータの電源供給システム。
【請求項３】
客先電源の主電源をエレベータシステムに供給するエレベータの電源供給システムであって、
昇降路に設置される昇降路継箱又は当該継箱近傍に設けられ、前記エレベータシステムの全電力使用機器に電力を供給する全電力対応電源装置と、
この全電力対応電源装置と前記客先電源とを接続し、当該客先電源の主電源を当該全電力対応電源装置に供給する単一の主電源電力ケーブと
を備えたことを特徴とするエレベータの電源供給システム。
【請求項４】
請求項１ないし請求項３の何れか一項に記載のエレベータの電源供給システムにおいて、
前記主電源電力ケーブルに接続され、常時は当該主電源電力ケーブルから供給される交流主電源の電力を直流の電力に変換し蓄電する蓄電装置と、
この蓄電装置から導出され、蓄電された直流電力を供給するための直流電力ケーブルと、
前記各電源装置の入力側と前記主電源電力ケーブル及び前記直流電力ケーブルとの間に設けられ、前記客先電源を含む交流主電源系統の異常有無を監視し、異常有りと判断された場合に前記主電源電力ケーブルから直流電力用ケーブルに切替え、前記蓄電装置から供給される直流電力を交流電力に変換し、対応する各電源装置に供給する電源切替装置と
を備えたことを特徴とするエレベータの電源供給システム。
【請求項５】
客先電源の主電源をエレベータシステムに供給するエレベータの電源供給システムであって、
昇降路上部の機械室又は昇降路の適宜な個所に設置されるエレベータ制御盤内に収納され、巻上機の動力及び当該制御盤に関係する電力使用機器に電力を給電する動力対応電源装置と、
乗りかごに搭載され、当該乗りかご内外の電力使用機器と各階床及び昇降路内で使用する電力使用機器に電力を給電するかご・継箱対応電源装置と、
分散配置される前記各電源装置と前記客先電源とを接続し、当該客先電源の主電源を前記各電源装置に供給する複数の主電源電力ケーブルと
を備えたことを特徴とするエレベータの電源供給システム。
【請求項６】
客先電源の主電源をエレベータシステムに供給するエレベータの電源供給システムであって、
昇降路上部の機械室又は昇降路の適宜な個所に設置されるエレベータ制御盤内に収納され、巻上機の動力及び当該制御盤に関係する電力使用機器に電力を給電する動力対応電源装置と、
昇降路に設置される昇降路継箱又は当該継箱近傍に設けられ、各階床及び昇降路内で使用する電力使用機器と乗りかご内外の電力使用機器に電力を給電する継箱・かご対応電源装置と、
分散配置される前記各電源装置と前記客先電源とを接続し、当該客先電源の主電源を前記各電源装置に供給する複数の主電源電力ケーブルと
を備えたことを特徴とするエレベータの電源供給システム。
【発明の詳細な説明】
【技術分野】
【０００１】
本発明はエレベータシステムの電力使用機器に電力を給電するエレベータの電源供給システムに関する。
【背景技術】
【０００２】
従来、エレベータの電源供給システムにおいては、通常，昇降路上部の機械室又は昇降路の適宜な個所にエレベータ制御盤が設置され、外部から供給される客先電源を直接受電するか、或いは受電盤を経由して受電した後、エレベータ制御盤内に収納されている電源装置を用いて所定の電源電力に変換した後、エレベータの巻上機を駆動する電動機や当該電動機を制御する制御部、昇降路内に設置する機器、各階床に設置するホール使用機器、乗りかご内外に設置するかご機器などに供給している。
【０００３】
また、エレベータシステムに使用する電源としては、マイコン制御用や昇降路内スイッチなどの直流電源、乗りかご内の照明機器や各種の電力使用に設置されるコンセントに供給する交流電源など，複数種類の電源が幅広く使用されている。
【０００４】
ところで、前述したようにエレベータ制御盤内に収納される電源装置を用いて、エレベータシステムの全電力使用機器に電力を供給する場合、電源装置自体が大容量、大きな占有スペースを必要とすることから、エレベータ制御盤が大型化する。また、各階のホール呼びボタン、ホールインジケータ及び乗りかご内のかご呼びボタンなどは階床数に応じて必要とする電源容量が異なるため、特に高層・超高層建物に設置するエレベータでは、大容量の電源装置が必要になり、エレベータ制御盤の小型化、薄型化の大きな障害となっている。
【発明の開示】
【発明が解決しようとする課題】
【０００５】
従って、以上のようなエレベータの電源供給システムでは、エレベータ制御盤内の電源装置からエレベータシステムの全電力使用機器に電力を供給することから、当該電源装置を収納するエレベータ制御盤の外形寸法が大きくなり、相当大きなスペースを必要とすることから、設置場所を選定することが難しく、また取付け上の工夫も必要となる問題がある。
【０００６】
また、高層、超高層建物に設置するエレベータでは、電源装置の電源容量が益々増えることから、エレベータ制御盤における電源装置の占める面積割合が益々増えてくる。その結果、エレベータ制御盤は、機械室に限らず、小型化して適宜な場所に設置可能とする要求があるにも拘らず、建物の高層化に伴って小型化、薄型化する上で大きな障害となっている。
【０００７】
本発明は以上のような事情に鑑みてなされたもので、電源装置の合理的な分散化を図り、エレベータ制御盤の小型化及び薄型化を実現するエレベータの電源供給システムを提供することを目的とする。
【課題を解決するための手段】
【０００８】
（１）  上記課題を解決するために、本発明は、客先電源の主電源をエレベータシステムに供給するエレベータの電源供給システムであって、昇降路上部の機械室又は昇降路の適宜な個所に設置されるエレベータ制御盤内に収納され、巻上機の動力及び当該制御盤に関係する電力使用機器に電力を給電する動力対応電源装置と、昇降路に設置される昇降路継箱又は当該継箱近傍に設けられ、各階床及び昇降路内で使用する電力使用機器に電力を給電する継箱対応電源装置と、乗りかごに搭載され、当該乗りかご内外の電力使用機器に電力を給電するかご対応電源装置と、分散配置される前記各電源装置と前記客先電源とを接続し、当該客先電源の主電源を前記各電源装置に供給する複数の主電源電力ケーブルとを設けたエレベータの電源供給システムである。
【０００９】
この発明は以上のような構成とすることにより、エレベータ制御盤内には巻上機の動力に関係する電力使用機器及び制御盤内の電力使用機器で必要とする電力容量を有する動力対応電源装置を収納し、その他は昇降路継箱内又は継箱近傍に継箱対応電源装置、また乗りかごにはかご対応電源装置を分散配置し、客先電源から導出される主電源電力ケーブルを各電源装置に接続したので、エレベータ制御盤内に収納される動力対応電源装置は巻上機の動力に関係する電力使用機器及び制御盤内の電力使用機器で必要とする電力容量だけとなり、動力対応電源装置の占有スペースが小さくなり、エレベータ制御盤の小型化に大きく貢献する。また、エレベータ制御盤の小型化により、機械室だけでなく、昇降路の適宜な個所に設置可能となる。また、ある程度まとまりをもった電力使用機器の近傍に複数の電源装置を分散配置し、客先電源と前記各電源装置とを主電源電力ケーブルで接続したので、エレベータ制御盤から個別に配線する場合に比較して配線作業を効率的に行うことが可能である。
【００１０】
（２）  この発明は、昇降路に設置される昇降路継箱又は当該継箱近傍に設けられ、各階床及び昇降路内で使用する電力使用機器と巻上機の動力及びエレベータ制御盤に関係する電力使用機器に電力を給電する動力・継箱対応電源装置と、乗りかごに搭載され、当該乗りかご内外の電力使用機器に電力を給電するかご対応電源装置と、分散配置される前記各電源装置と前記客先電源とを接続し、当該客先電源の主電源を前記各電源装置に供給する複数の主電源電力ケーブルとを設けたエレベータの電源供給システムである。
【００１１】
この発明は以上のような構成とすることにより、エレベータ制御盤から電源装置を取り除くことにより、益々エレベータ制御盤の小型化だけでなく、薄型化を図ることができる。また、主電源電力ケーブルの配線本数の減少により配線作業の効率を上げることが可能となる。
【００１２】
（３）  本発明は、昇降路に設置される昇降路継箱又は当該継箱近傍に設けられ、前記エレベータシステムの全電力使用機器に電力を供給する全電力対応電源装置と、この全電力対応電源装置と前記客先電源とを接続し、当該客先電源の主電源を当該全電力対応電源装置に供給する単一の主電源電力ケーブとを設けたエレベータの電源供給システムである
この発明は以上のような構成とすることにより、エレベータ制御盤については前記（１）及び（２）と同様な作用効果を奏する他、エレベータ制御盤を昇降路の適宜なスペースを利用して設置することが可能となる。また、各種の電力使用機器の中間部に相当する昇降路に全機器対応電源装置を配置したので、この全機器対応電源装置から最短の長さで各電力使用機器に配線することが可能となり、電力損失の低減化に大きく貢献する。
【００１３】
（４）  さらに、本発明は、前記（１）ないし（３）の構成に新たに、前記主電源電力ケーブルに接続され、常時は当該主電源電力ケーブルから供給される交流主電源の電力を直流の電力に変換し蓄電する蓄電装置と、この蓄電装置から導出され、蓄電された直流電力を供給するための直流電力ケーブルと、前記各電源装置の入力側と前記主電源電力ケーブル及び前記直流電力ケーブルとの間に設けられ、前記客先電源を含む交流主電源系統の異常有無を監視し、異常有りと判断された場合に前記主電源電力ケーブルから直流電力用ケーブルに切替え、前記蓄電装置から供給される直流電力を交流電力に変換し、対応する各電源装置に供給する電源切替装置とを設けたエレベータの電源供給システムである。
【００１４】
この発明においては、前記（１）ないし（３）の構成による作用効果を奏する他、客先電源を含む交流主電源系統の主電源の喪失時、確実にエレベータシステムの全電力使用機器に電力を確実にバックアップすることが可能である。
【００１５】
（５）  さらに、本発明は、昇降路上部の機械室又は昇降路の適宜な個所に設置されるエレベータ制御盤内に収納され、巻上機の動力及び当該制御盤に関係する電力使用機器に電力を給電する動力対応電源装置と、乗りかごに搭載され、当該乗りかご内外の電力使用機器と各階床及び昇降路内で使用する電力使用機器に電力を給電するかご・継箱対応電源装置と、分散配置される前記各電源装置と前記客先電源とを接続し、当該客先電源の主電源を前記各電源装置に供給する複数の主電源電力ケーブルとを設けたエレベータの電源供給システムである。
【００１６】
さらに、本発明はは、昇降路上部の機械室又は昇降路の適宜な個所に設置されるエレベータ制御盤内に収納され、巻上機の動力及び当該制御盤に関係する電力使用機器に電力を給電する動力対応電源装置と、昇降路に設置される昇降路継箱又は当該継箱近傍に設けられ、各階床及び昇降路内で使用する電力使用機器と乗りかご内外の電力使用機器に電力を給電する継箱・かご対応電源装置と、分散配置される前記各電源装置と前記客先電源とを接続し、当該客先電源の主電源を前記各電源装置に供給する複数の主電源電力ケーブルとを有するエレベータの電源供給システムとすることもできる。
【発明の効果】
【００１７】
本発明によれば、複数の電源装置をある程度まとまりをもった電力使用機器ごとに合理的に分散配置でき、よってエレベータ制御盤の小型化及び薄型化を実現でき、かつ主電源の電力ケーブル配線本数を減らして配線作業の効率を高めることができるエレベータの電源供給システムを提供できる。
【発明を実施するための最良の形態】
【００１８】
以下、本発明の実施の形態について図面を参照して説明する。
【００１９】
（第１の実施の形態）
図１は本発明に係るエレベータの電源供給システムの第１の実施形態を示す構成図である。  
このエレベータの電源供給システムは、例えば昇降路上部の機械室１又は昇降路の適宜な個所に設置される巻上機（図示せず）の近傍に、客先電源２、エレベータ制御盤３及び機械室内電力使用機器４が配置されている。この客先電源２は外部から引込んだ所要の交流電力をエレベータシステムに供給する機能を有する。この客先電源２からは後記する電源装置に主電源を供給するために複数本の主電源電力ケーブル５ａ，５ｂ，５ｃが導出されている。
【００２０】
すなわち、複数本の主電源電力ケーブル５ａ，５ｂ，５ｃのうち、１つの主電源電力ケーブル５ａはエレベータ制御盤３内に収納される動力対応電源装置６に接続されている。動力対応電源装置６は、機械室１内又は巻上機近傍に設置される前記機械室内電力使用機器４で必要とする電源容量に相当する電力に変換し、当該機械室内電力使用機器４に給電する。従って、エレベータ制御盤３内の動力対応電源装置６は、機械室１内又は巻上機近傍に比較的まとまって設置されている機械室内電力使用機器４のために使用される。なお、機械室内電力使用機器４としては、巻上機を含む巻上機周辺機器及び制御盤３内の例えば動力制御回路、電源側コンバータ、電動機側インバータ、コンバータ及びインバータ等を制御する制御部等が挙げられる。
【００２１】
また、昇降路７内には昇降路継箱８が設けられているが、当該昇降路継箱８内又は昇降路継箱８近傍に継箱対応電源装置９が配置されている。継箱対応電源装置９には客先電源２から導出される主電源電力ケーブル５ｂが接続されている。昇降路継箱８は、各階床のホール用電力使用機器１０，…や昇降路７内で使用する各種の昇降路内電力使用機器１１，…に対する所定の信号の中継機能を有する。継箱対応電源装置９は、各階床のホール用電力使用機器１０，…や各種の昇降路用電力使用機器１１，…で必要とする電源容量に相当する電力に変換し、各機器１０，…、１１，…に給電する。よって、昇降路継箱８に対応する電源装置９は、昇降路７に連なる一連の電力使用機器１０，…、１１，…のために使用される。この継箱対応電源装置９は、建物の階床数や各階に入るテナントの要求に応じて電源容量が変動するので、予めその電源容量の変動を見越して設計されるとともに、当該電力変動に対して当該電源装置９だけの改変により実現可能とする。
【００２２】
また、昇降路７内には、巻上機に掛け渡される主索（図示せず）に吊り下げられ、当該巻上機の回転駆動に従って昇降運転するエレベータの乗りかご１２が配置されている。この乗りかご１２にはかご対応電源装置１３が搭載され、客先電源２から導出される主電源電力ケーブル５ｃが接続されている。かご対応電源装置１３は、乗りかご１２内外に設置されるかご用電力使用機器１４で必要とする電源容量に相当する電力に変換し、かご用電力使用機器１４に給電する。なお、かご用電力使用機器１４としては、照明機器、空調機器その他乗りかご１２に取付ける付帯設備機器が挙げられる。従って、乗りかご搭載のかご対応電源装置１３は、乗りかご１２内外に比較的まとまって設置されるかご用電力使用機器１４のために使用される。
【００２３】
次に、以上のような電源供給システムの動作について説明する。  
機械室などに設置される客先電源２には複数本の電力ケーブル５ａ，５ｂ，５ｃが導出され、その１つの主電源電力ケーブル５ａは、客先電源２からの主電源を動力対応電源装置６に供給し、ここで機械室１内又は巻上機近傍に設置される前記機械室内電力使用機器４で必要とする電源容量に相当する電力に変換し、当該機械室内電力使用機器４に給電する。また、他の主電源電力ケーブル５ｂは、客先電源２からの主電源を継箱対応電源装置９に供給し、ここで各階床ごとのホール用電力使用機器１０，…や昇降路７内で使用する各種の昇降路内電力使用機器１１，…で必要とする電源容量に相当する電力に変換し、各機器１０，…、１１，…に給電する。さらに、残りの主電源電力ケーブル５ｃは、客先電源２からの主電源をかご対応電源装置１３に供給し、ここで乗りかご１２内外に設置されるかご用電力使用機器１４で必要とする電源容量に相当する電力に変換し、当該かご用電力使用機器１４に給電する。
【００２４】
なお、上記実施の形態では、客先電源２から複数本の主電源電力ケーブル５ａ〜５ｃを導出されていると記載されているが、客先電源２から順次分岐される主電源電力ケーブル５ａ〜５ｃを含むものである。以下の各実施の形態で説明する主電源電力ケーブル５ａ〜５ｃについても、同様の意味であることは言うまでもない。
【００２５】
以上のような実施の形態によれば、エレベータ制御盤３内に巻上機の動力に関係する電力使用機器４及び制御盤３内の電力使用機器４で必要とする電力容量を有する動力対応電源装置６を収納し、また昇降路継箱８内又は継箱８近傍に継箱対応電源装置９、また乗りかご１２にはかご対応電源装置１３を分散配置し、客先電源２から主電源電力ケーブル５ａ〜５ｃを導出し各電源装置６，９，１３に接続するので、エレベータ制御盤３内に収納される動力対応電源装置６は巻上機の動力に関係する電力使用機器４及び制御盤内の電力使用機器４で必要とする電力容量だけとなり、動力対応電源装置６の占有スペースが小さくなり、エレベータ制御盤３の小型化を図ることができる。また、エレベータ制御盤３の小型化により、機械室１だけでなく、昇降路７の適宜な個所に設置可能となる。また、ある程度まとまりをもった電力使用機器の近傍に複数の電源装置６，９，１３を分散配置し、客先電源２と各電源装置６，９，１３とを主電源電力ケーブル５ａ，５ｂ，５ｃで接続したので、エレベータ制御盤３から個別に配線する場合に比較して配線作業を効率的に行うことができる。
【００２６】
さらに、客先電源２からの主電源電力ケーブル５ａ，５ｂ，５ｃが少ないことから、メンテナンス時に各電源系統の確認等が容易になる。また、電源装置６，９，１３の分散化により、階床数や各階テナントの要求による電源容量に変動に対し、継箱対応電源装置９だけを必要に応じて改変すればよく、柔軟性に富んだシステム変更が可能である。
【００２７】
（第２の実施の形態）
図２は本発明に係るエレベータの電源供給システムの第２の実施形態を示す構成図である。なお、同図において、図１と同一又は等価な部分には図１と同様の符号を付し、その詳しい説明を省略する。以下の各実施の形態においても同様に同一符号を用いて説明する。
【００２８】
このエレベータの電源供給システムは、図１に示すエレベータ制御盤３内から動力対応電源装置６を削除する一方、客先電源２から２本の主電源電力ケーブル５ｂ，５ｃが導出され、それぞれ昇降路継箱８内又は昇降路継箱８近傍に設置される動力・継箱対応電源装置２１及び乗りかご１２に搭載されるかご対応電源装置１３に接続されている。従って、２つの電源装置２１，１３は何れも昇降路７内に設置することが可能となる。そして、動力・継箱対応電源装置２１は、電力ケーブル５ｂから供給される主電源をそれぞれ機械室内電力使用機器４、各階床ごとのホール用電力使用機器１０，…及び昇降路内電力使用機器１１，…ごとに分け、それぞれ必要とする電源容量に相当する電力に変換し、機械室内電力使用機器４、各ホール用電力使用機器１０，…及び昇降路内電力使用機器１１，…に給電する構成である。なお、図２に示す電源供給システムに設置される各種構成体の機能・動作等の詳細は図１の説明に譲る。
【００２９】
以上のような実施の形態によれば、エレベータ制御盤３内から電源装置６を取り除くことにより、益々エレベータ制御盤３の小型化を実現できるだけでなく、薄型化も実現できる。これにより、エレベータ制御盤３を昇降路７の適宜な個所に簡単、かつ容易に取付けることができる。また、図１のシステムと比べて、主電源電力ケーブル５ｂ，５ｃの配線本数も少なくなり、しかも全て昇降路７側から各電力使用機器４，１０，…、１１，…から配線作業を進めることができる。
【００３０】
（第３の実施の形態）
図３は本発明に係るエレベータの電源供給システムの第３の実施形態を示す構成図である。  
この電源供給システムは、昇降路７の昇降路継箱８内又は昇降路継箱８近傍にエレベータシステムで使用する全電力使用機器に電力を供給する全機器対応電源装置２２を設置するとともに、当該全機器対応電源装置２２と客先電源２とを主電源電力ケーブル５ｂで接続した構成である。ここで、全電力使用機器とは、機械室１内又は巻上機近傍に設置される前記機械室内電力使用機器４、各階床のホール用電力使用機器１０，…、昇降路７内で使用する各種の昇降路内電力使用機器１１，…及び乗りかご１２内外に設置されるかご用電力使用機器１４に相当する。
【００３１】
そして、全機器対応電源装置２２は、客先電源２から主電源電力ケーブル５ｂを介して供給される主電源をそれぞれ機械室内電力使用機器４、各階床のホール用電力使用機器１０，…、昇降路内電力使用機器１１，…及びかご用電力使用機器１４ごとに分け、それぞれ必要とする電源容量に相当する電力に変換し、機械室内電力使用機器４、各ホール用電力使用機器１０，…、各昇降路内電力使用機器１１，…及びかご用電力使用機器１４に給電する。
【００３２】
なお、図３に示す電源供給システムに設置される各種構成体の機能・動作等の詳細は図１，図２の説明に譲る。
【００３３】
以上のような実施の形態によれば、エレベータ主制御盤３から電源装置６を取り除いたことにより、第２の実施の形態と同様の効果を奏する他、各種電力使用機器の中間部に相当する昇降路７内の全機器対応電源装置２２から必要とする電源容量の電力を給電するので、各種電力使用機器の中間部に相当する昇降路７内の全機器対応電源装置２２から必要とする電源容量の電力を給電するので、１台の電源装置２２でありながら合理的に配線作業を進めることができる。全機器対応電源装置２２と各電力使用機器４，１０，１１，１４との電線長を最短とすることにより、１台の電源装置２２を用いて電力損失を極力低減できる。
【００３４】
（第４の実施の形態）
図４は本発明に係るエレベータの電源供給システムの第４の実施形態を示す構成図である。  
この電源供給システムは、客先電源２及び主電源電力ケーブル５ａ〜５ｃに何らかの異常が発生したとき、一時的に電力のバックアップを行う機能を備えたものである。具体的には、客先電源２の出力側から分岐される主電源電力ケーブル５ｄに蓄電装置３１が接続されている。この蓄電装置３１は、常時電力ケーブル５ｄから供給される交流主電源を直流電力に変換する電力変換手段３１ａと、この電力変換手段３１ａで変換された直流電力を蓄電する大容量の蓄電池３１ｂとで構成されている。また、客先電源２からエレベータ制御盤３内に収納される動力対応電源装置６に至る主電源電力ケーブル５ａの中間部には第１の電源切替装置３２が介在されている。第１の電源切替装置３２は、客先電源２を含む交流主電源系統に何らかの異常が発生したか否かを監視し、交流主電源系統に異常有りと判断したとき直流電力ケーブル３３に切替える電源監視手段３２ａと、蓄電装置３１から供給される直流電力を交流電力に変換し、エレベータ制御盤３内に収納される動力対応電源装置６に供給する交流電力変換手段３２ｂとが設けられている。電源監視手段３２ａは、交流主電源が異常であると判断したとき、蓄電装置３１にバックアップ指示信号を送出する。
【００３５】
前記直流電力ケーブル３３は、蓄電装置３１から導出され、第１の電源切替装置３２、継箱対応電源装置９内又は当該電源装置９に隣接して設置される第２の電源切替装置３４及びかご対応電源装置１３内又はかご対応電源装置１３に隣接して設置される第３の電源切替装置３５にそれぞれ接続されている。
【００３６】
第２の電源切替装置３４は、客先電源２を含む交流主電源系統に何らかの異常が発生したか否かを監視し、交流主電源系統に異常有りと判断したとき直流電力ケーブル３３に切替える電源監視手段３４ａと、蓄電装置３１から供給される直流電力を交流電力に変換し、エレベータ制御盤３内に収納される継箱対応電源装置９に供給する交流電力変換手段３４ｂとが設けられている。また、第３の電源切替装置３５は、第２の電源切替装置３４と同様に、客先電源２を含む交流主電源系統に何らかの異常が発生したか否かを監視し、交流主電源系統に異常有りと判断したとき直流電力ケーブル３３に切替える電源監視手段３５ａと、蓄電装置３１から供給される直流電力を交流電力に変換し、乗りかご１２に搭載されるかご対応電源装置１３に供給する交流電力変換手段３５ｂとが設けられている。その他の構成は図１と同様であるので省略する。
【００３７】
次に、以上のような電源供給システムの動作について説明する。  
客先電源２を含む主電源系統が正常である通常時、各主電源電力ケーブル５ａ，５ｂ，５ｃの交流主電源は、対応する第１ないし第３の電源切替装置３２，３４，３５を経由して各動力対応電源装置６，継箱対応電源装置９，かご対応電源装置１３に供給されている。
【００３８】
この客先電源２から動力対応電源装置６，継箱対応電源装置９，かご対応電源装置１３への交流主電源の供給時、蓄電装置３１は、電力変換手段３１ａが常時主電源電力ケーブル５ｄから供給される交流主電源を直流電力に変換し、この変換された直流電力を大容量の蓄電池３１ｂに蓄電している。
【００３９】
この状態において、客先電源２を含む交流主電源系統に何らかの異常が発生した場合、第１ないし第３の電源切替装置３２，３４，３５の電源監視手段３２ａ，３４ａ，３５ａがそれぞれ交流主電源系統で異常有りと判断し、直流電力ケーブル３３に切替える。また、第１の電源切替装置３２の電源監視手段３２ａが異常と判断したとき、蓄電装置３１にバックアップ指示信号を送出する。
【００４０】
ここで、蓄電装置３１は、バックアップ指示信号を受けると、少なくとも蓄電池３１ｂの出力端を直流電力ケーブル３３に接続し、当該直流電力ケーブル３３を介して蓄電池３１ｂの直流電力を第１ないし第３の電源切替装置３２，３４，３５に送出する。
【００４１】
その結果、各電源切替装置３２，３４，３５の交流電力変換手段３２ｂ，３４ｂ，３５ｂでは、蓄電装置３１から供給される直流電力をそれぞれ交流電力に変換し、動力対応電源装置６，継箱対応電源装置９，かご対応電源装置１３に供給する。ここで、動力対応電源装置６，継箱対応電源装置９，かご対応電源装置１３は、図１で説明したようにそれぞれ機械室内電力使用機器４、各階床ごとのホール用電力使用機器１０，…や昇降路内電力使用機器１１，…、かご用電力使用機器１４で必要とする電源容量に相当する電力に変換し、該当する電力使用機器４、１０，…、１１，…及びかご用電力使用機器１４に給電するものである。
【００４２】
従って、以上のような実施の形態によれば、前述した第１の実施の形態と同様の効果を奏する他、通常時に蓄電装置３１が交流主電源を取り込んで常時蓄電池３１ｂに蓄電しているので、客先電源２を含む主電源系統の電源喪失時に各電源切替装置３２，３４，３５が蓄電池３１ｂからの直流電力を交流電力に変換して動力対応電源装置６，継箱対応電源装置９，かご対応電源装置１３に供給するので、主電源喪失時でも必要とする電力をエレベータシステムの電力使用機器に確実に供給できる。
【００４３】
なお、この実施の形態では、第１の電源切替装置３２の電源監視手段３２ａが主電源喪失を監視し、蓄電装置３１にバックアップ指示信号を送出したが、他の電源切替装置３４又は３５に同様の機能を持たせてもよい。また、蓄電装置３１自体で客先電源２を含む主電源系統の異常を監視してもよい。
【００４４】
さらに、このバックアップ機能は、図１に示す電源供給システムに適用したが、図２及び図３のシステムにも同様に適用できることは言うまでもない。
【００４５】
（第５の実施の形態）
図５は本発明に係るエレベータの電源供給システムの第５の実施形態を示す構成図である。  
この電源供給システムは、エレベータ制御盤３内に動力対応電源装置６を設け、また乗りかご１２にかご・継箱対応電源装置２３を搭載し、客先電源２から導出される主電源電力ケーブル５ａ，５ｃをそれぞれ動力対応電源装置６、かご・継箱対応電源装置２３に接続している。かご・継箱対応電源装置２３は、機械室１内又は巻上機近傍に設置される前記機械室内電力使用機器４、各階床のホール用電力使用機器１０，…や昇降路７内で使用する各種の昇降路内電力使用機器１１，…ごとに分け、それぞれ必要とする電源容量に相当する電力に変換し、機械室内電力使用機器４、各階床のホール用電力使用機器１０，…、各種の昇降路内電力使用機器１１，…に給電するものである。
【００４６】
このような実施の形態によれば、従来のエレベータ制御盤内に収納される電源装置を、ある程度まとまりをもった電力使用機器近傍に動力対応電源装置６と昇降路７内を昇降する乗りかご１２にかご・継箱対応電源装置２３とを独立分散化することにより、本来エレベータ制御盤３内に収納される電源装置は動力対応電源装置６だけとなる。その結果、制御盤３内の動力対応電源装置６の電源容量を一定の大きさにすることができ、階床数やテナントの要求等による電源容量の変動を受けることがなく、また占有スペースが従来と比較して大幅に小さくすることができるので、エレベータ制御盤３の小型化を図ることができる。また、従来と比較して電力使用機器に対する配線作業を効率化できる。さらに、電源装置６，２３の分散化により、階床数や各階テナントの要求に応じて、かご・継箱対応電源装置２３だけを必要に応じて改変すればよく、柔軟性に富んだシステム変更が可能となる。
【００４７】
（第６の実施の形態）
図６は本発明に係るエレベータの電源供給システムの第６の実施形態を示す構成図である。  
この電源供給システムは、図５とは異なり、エレベータ制御盤３内に動力対応電源装置６を設け、また昇降路継箱８内又は昇降路継箱８近傍に継箱・かご対応電源装置２４を設け、客先電源２から導出される主電源電力ケーブル５ａ，５ｂをそれぞれ動力対応電源装置６及び継箱・かご対応電源装置２４に接続したものである。この継箱・かご対応電源装置２４は、各階床のホール用電力使用機器１０，…、各種の昇降路内電力使用機器１１，…及び乗りかご１２内外に設置されるかご用電力使用機器１４ごとに分け、それぞれ必要とする電源容量に相当する電力に変換し、ホール用電力使用機器１０，…、各種の昇降路内電力使用機器１１，…及びかご用電力使用機器１４に給電するものである。
【００４８】
このような実施の形態によれば、従来のエレベータ制御盤内に収納される電源装置を、ある程度まとまりをもった電力使用機器近傍に動力対応電源装置６と昇降路７の中央部に設置される継箱・かご対応電源装置２４とに独立して分散化するので、第５の実施の形態と同様の効果を奏する他、昇降路７の継箱・かご対応電源装置２４からホール用電力使用機器１０，…、各種の昇降路内電力使用機器１１，…及びかご用電力使用機器１４に配線するので、合理的に配線でき、各電力使用機器１０，１１，１４との電線長を最短とすることにより、配線の電力損失を極力低減できる。
【００４９】
なお、本発明は、上記実施の形態に限定されるものでなく、その要旨を逸脱しない範囲で種々変形して実施できる。また、各実施の形態は組み合わせて実施することが可能であり、その場合には組み合わせによる効果が得られる。
【図面の簡単な説明】
【００５０】
【図１】本発明に係るエレベータの電源供給システムの第１の実施形態を示す構成図。
【図２】本発明に係るエレベータの電源供給システムの第２の実施形態を示す構成図。
【図３】本発明に係るエレベータの電源供給システムの第３の実施形態を示す構成図。
【図４】本発明に係るエレベータの電源供給システムの第４の実施形態を示す構成図。
【図５】本発明に係るエレベータの電源供給システムの第５の実施形態を示す構成図。
【図６】本発明に係るエレベータの電源供給システムの第６の実施形態を示す構成図。
【符号の説明】
【００５１】
１…機械室、２…客先電源、３…エレベータ制御盤、４…機械室内電力使用機器、５ａ，５ｂ，５ｃ，５ｄ…主電源電力ケーブル、６…動力対応電源装置、７…昇降路、８…昇降路継箱、９…継箱対応電源装置、１０…ホール用電力使用機器、１１…昇降路内電力使用機器、１２…乗りかご、１３…かご対応電源装置、１４…かご用電力使用機器、２１…動力・継箱対応電源装置、２２…全機器対応電源装置、２３…かご・継箱対応電源装置、２４…継箱・かご対応電源装置、３１…蓄電装置、３１ａ…電力変換手段、３１ｂ…蓄電池、３２…第１の電源切替装置、３２ａ…電源監視手段、３２ｂ…交流電力変換手段、３３…直流電力ケーブル、３４…第２の電源切替装置、３４ａ…電源監視手段、３４ｂ…交流電力変換手段、３５…第３の電源切替装置、３５ａ…電源監視手段、３５ｂ…交流電力変換手段。
【図１】
2006225070.tif 000003
【図２】
2006225070.tif 000004
【図３】
2006225070.tif 000005
【図４】
2006225070.tif 000006
【図５】
2006225070.tif 000007
【図６】
2006225070.tif 000008